(57)【要約】【課題】１ドット未満の位置ずれを調整することが可能なプリンタを提供すること。【解決手段】ＲＡＭ３０は、位置ずれを調整するための位置ずれ判定パターン３１を記憶している。位置ずれ判定パターン３１を読み出して、記録部５０で記録紙に記録している。記録紙に記録された位置ずれ判定パターン３１において、シアン、マゼンタ、イエローの各ラインが、所定間隔毎のブラックの１ラインに対して、それぞれ０，±１，±２，±３，±４ラインずつ、位置ずれして記録されているか否かを判断する。その判断結果に基づいて、ＰＷＭｔ５３１〜５３４で位置ずれしている色のトリガ信号が立下がり時間を変更している。そして、トリガ信号の立上がりに同期して、ＰＷＭｓ５３５〜５３８からストローブ信号がＬＥＤヘッド５４１〜５４４に送出される。その結果、位置ずれしている色の感光体ドラム５６１〜５６４に静電潜像が形成されるタイミングも変更される。【選択図】図１
2007106126.tif 000002
【特許請求の範囲】
【請求項１】
複数のヘッドと、各ヘッドから光が照射される時間を調整するストローブ信号と該ストローブ信号の送出タイミングを調整するパルス信号からなるトリガ信号とを制御する制御手段と、トリガ信号のパルス幅を調整する調整手段とを備え、制御手段は、トリガ信号の終了に基づきストローブ信号を送出するプリンタにおいて、
基準となるヘッドに対して調整対象のヘッドが１ドット未満で反副走査方向に位置ずれしている場合には、前記調整手段により前記調整対象のヘッドに対応するトリガ信号のパルス幅を調整し、該トリガ信号の終了タイミングを、ライン周期に１ドットに対する位置ずれ量の割合を乗じて得られる時間だけ遅延させることにより、反副走査方向における１ドット未満の位置ずれを調整し、
基準となるヘッドに対して調整対象のヘッドが１ドット未満で副走査方向に位置ずれしている場合には、前記調整手段により前記調整対象のヘッドに対応するトリガ信号のパルス幅を調整し、該トリガ信号の終了タイミングを、ライン周期に１ドットに対する位置ずれ量の割合を乗じて得られる時間だけ早めることにより、副走査方向における１ドット未満の位置ずれを調整することを特徴とするプリンタ。
【請求項２】
請求項１に記載のプリンタにおいて、
前記プリンタは、タンデム方式を用いた電子写真方式のカラープリンタであり、
前記ヘッドは、イエロー、マゼンタ、シアン、ブラックの４色にそれぞれ対応するヘッドから構成されることを特徴とするプリンタ。
【請求項３】
請求項２に記載のプリンタにおいて、
前記位置ずれを判定するための位置ずれ判定パターンを記憶する記憶手段を備え、
前記位置ずれ判定パターンは、
所定間隔毎に所定長を有するブラックの１ラインと、
前記ブラックの副走査方向における中央の１ラインを基準ラインとして、所定間隔毎のブラックの１ラインに対する位置ずれを副走査方向及び反副走査方向に１ラインずつ大きくしたシアン、マゼンタ、イエローの各１ラインと
を備えたことを特徴とするプリンタ。
【請求項４】
請求項３に記載のプリンタにおいて、
前記位置ずれ判定パターンを前記記憶手段から読み出させるとともに読み出された位置ずれ判定パターンを記録紙に記録させるための操作手段を備えたことを特徴とするプリンタ。
【発明の詳細な説明】
【技術分野】
【０００１】
本発明は、カラー複写機能付きファクシミリ装置（以下、複合機という）等に代表されるプリンタに関し、より詳しくは副走査方向の位置ずれの調整に特徴を有するプリンタに関するものである。
【背景技術】
【０００２】
近年、パソコンやインターネットの普及により、オフィス文書のカラー化が急激に進展するなか、各種プレゼンテーションや会議資料などカラーで原稿を作成し、記録紙に出力を行うことが一般的となってきた。このため、オフィス等においては、電子写真方式のカラープリンタが急速に普及しつつある。
【０００３】
カラープリンタの記録方式には、１回のプロセスで４色（イエロー（Ｙ）、マゼンタ（Ｍ）、シアン（Ｃ）、ブラック（Ｋ））を連続記録するために４色の感光体ドラムを直列に配置したタンデム方式がある。このタンデム方式は、記録プロセスがシンプルで、しかも給紙動線も短いため、高速にプリントアウトすることができる点が特徴である。
【０００４】
ところで、ＬＥＤヘッドによるタンデム方式のカラープリンタでは、良好な記録画像が得られるように各色のＬＥＤヘッドの記録紙搬送方向に対する位置ずれを出荷前に調整している。具体的には、まず各色のＬＥＤヘッドの記録紙搬送方向に対する位置ずれを物理的に調整し、続いて、各色のＬＥＤヘッドに画データを転送するタイミングを１ドット単位で調整している。
【発明の開示】
【発明が解決しようとする課題】
【０００５】
しかしながら、物理的な調整は、作業者の手作業で行われているため、微調整が困難である。また、転送タイミングの調整は、１ドット単位でしか調整できないため、１ドット未満の位置ずれに対しては、調整することができない。
【０００６】
本発明は、このような問題点に着目してなされたものであって、その目的は、１ドット未満の位置ずれを調整することが可能なプリンタを提供することにある。
【課題を解決するための手段】
【０００７】
上記の目的を達成するために、請求項１に記載の発明では、複数のヘッドと、各ヘッドから光が照射される時間を調整するストローブ信号と該ストローブ信号の送出タイミングを調整するパルス信号からなるトリガ信号とを制御する制御手段と、トリガ信号のパルス幅を調整する調整手段とを備え、制御手段は、トリガ信号の終了に基づきストローブ信号を送出するプリンタにおいて、基準となるヘッドに対して調整対象のヘッドが１ドット未満で反副走査方向に位置ずれしている場合には、前記調整手段により前記調整対象のヘッドに対応するトリガ信号のパルス幅を調整し、該トリガ信号の終了タイミングを、ライン周期に１ドットに対する位置ずれ量の割合を乗じて得られる時間だけ遅延させることにより、反副走査方向における１ドット未満の位置ずれを調整し、基準となるヘッドに対して調整対象のヘッドが１ドット未満で副走査方向に位置ずれしている場合には、前記調整手段により前記調整対象のヘッドに対応するトリガ信号のパルス幅を調整し、該トリガ信号の終了タイミングを、ライン周期に１ドットに対する位置ずれ量の割合を乗じて得られる時間だけ早めることにより、副走査方向における１ドット未満の位置ずれを調整する。
【０００８】
請求項２に記載の発明では、請求項１に記載のプリンタにおいて、前記プリンタは、タンデム方式を用いた電子写真方式のカラープリンタであり、前記ヘッドは、イエロー、マゼンタ、シアン、ブラックの４色にそれぞれ対応するヘッドから構成される。
【０００９】
請求項３に記載の発明では、請求項２に記載のプリンタにおいて、前記位置ずれを判定するための位置ずれ判定パターンを記憶する記憶手段を備え、前記位置ずれ判定パターンは、所定間隔毎に所定長を有するブラックの１ラインと、前記ブラックの副走査方向における中央の１ラインを基準ラインとして、所定間隔毎のブラックの１ラインに対する位置ずれを副走査方向及び反副走査方向に１ラインずつ大きくしたシアン、マゼンタ、イエローの各１ラインとを備えた。
【００１０】
請求項４に記載の発明では、請求項３に記載のプリンタにおいて、前記位置ずれ判定パターンを前記記憶手段から読み出させるとともに読み出された位置ずれ判定パターンを記録紙に記録させるための操作手段を備えた。
【発明の効果】
【００１１】
本発明によれば、１ドット未満の位置ずれを調整することができる。
【発明を実施するための最良の形態】
【００１２】
以下に、本発明に係るプリンタを複合機に具体化した一実施形態について図面を用いて説明する。
図１に示すように、複合機１は、ＭＰＵ１０、ＲＯＭ２０、ＲＡＭ３０、読取部４０、記録部５０、操作部６０、表示部７０、画像メモリ８０、コーデック９０、モデム１００、ＮＣＵ１１０、及びＬＡＮ−Ｉ／Ｆ（ＬＡＮ用インタフェース）１２０から構成されるとともに、各部１０〜１２０がバス１３０を介してそれぞれ接続されている。
【００１３】
ＭＰＵ１０は、複合機１を構成する各部を制御する。ＲＯＭ２０は、複合機１を制御するためのプログラムを記憶する。ＲＡＭ３０は、複合機１に関する各種情報を一時的に記憶する。また、ＲＡＭ３０は、位置ずれを調整するための位置ずれ判定パターン３１を記憶している（図３参照）。
【００１４】
読取部４０は、カラースキャナよりなり、原稿上の画像を読み取って、ＲＧＢ信号を出力する。そして、そのＲＧＢ信号をＹＭＣＫ信号に変換した後、２値化したイメージデータを出力する。また、ＦＡＸ送信の場合には、白黒２値のイメージデータを出力する。
【００１５】
記録部５０は、タンデム方式を用いた電子写真方式のカラープリンタよりなり、受信画データやコピー動作において読取部４０で読み取った原稿の画データを記録紙上に記録する。また、ＬＡＮ−Ｉ／Ｆ１２０を介してパソコンから送出されてきたデータを記録紙上に記録する。
【００１６】
具体的には、記録部５０は、プリンタ制御部５１０、データ転送制御部５２０、ストローブ発生部５３０、及びプリンタ５４０から構成されている。プリンタ制御部５１０は、ＭＰＵ１０からの制御信号に基づいて、記録部５０を構成する各部を制御する。データ転送制御部５２０は、バス１３０を介した画データ等をストローブ発生部５３０及びプリンタ５４０に転送する。
【００１７】
ストローブ発生部５３０は、各色のトリガ（ＴＲＧ）信号を送出するタイミングを調整するＹ−ＰＷＭｔ５３１〜Ｋ−ＰＷＭｔ５３４を備えている。ここで、ＰＷＭとは、パルス幅変調（Pulse Width Modulation）を示している。また、ストローブ発生部５３０は、各色の感光体ドラム５５１〜５５４に光を照射する時間を調整するＹ−ＰＷＭｓ５３５〜Ｋ−ＰＷＭｓ５３８を備えている。すなわち、Ｙ−ＰＷＭｓ５３５〜Ｋ−ＰＷＭｓ５３８によって各色の感光体ドラム５５１〜５５４に光を照射する時間が調整されると、各色の濃度が調整される。具体的には、各色の感光体ドラム５５１〜５５４に光を照射する時間が長ければ長い程、記録紙に記録される各色の濃度が濃くなる。一方、各色の感光体ドラム５５１〜５５４に光を照射する時間が短ければ短い程、記録紙に記録される各色の濃度が薄くなる。
【００１８】
プリンタ５４０は、Ｙ−ＬＥＤヘッド５４１〜Ｋ−ＬＥＤヘッド５４４、各色の感光体ドラム５５１〜５５４、各色の現像器５６１〜５６４、各色の転写器５７１〜５７４、定着器５８０、及びこれらの同期を司るＣＬＫ５９０を備えている。Ｙ−ＬＥＤヘッド５４１〜Ｋ−ＬＥＤヘッド５４４は、Ｙ−ＰＷＭｓ５３５〜Ｋ−ＰＷＭｓ５３８からのストローブ（ＳＴＢ）信号とデータ転送制御部５２０からの画データとに基づいて、各色の感光体ドラム５５１〜５５４に光を照射する。その結果、各色の感光体ドラム５５１〜５５４には、データ転送制御部５２０からの画データに基づく静電潜像が形成される。各色の現像器５６１〜５６４は、トナーを感光体ドラム５５１〜５５４に形成された静電潜像に付着させる。各色の転写器５７１〜５７４は、付着されたトナーを記録紙上に転写する。定着器５８０は、転写された記録紙上のトナーを定着する。その結果、読取部４０で読み取った原稿の画データがカラーで記録紙に記録される。
【００１９】
操作部６０は、ＦＡＸモード又はコピーモードに設定するためのＦＡＸ／コピーキー、短縮番号の登録又は短縮番号から発信するための短縮キー、予め登録したＦＡＸ番号をワンタッチで指定するためのワンタッチキーを備えている。また、操作部６０は、電話番号又はコピー部数等を入力するためのテンキー（＊，＃キーを含む）、原稿の読み取り動作を開始させるためのスタートキー等の各種操作キーを備えている。ＬＣＤ等よりなる表示部７０は、複合機１の動作状態等の各種情報の表示を行う。
【００２０】
画像メモリ８０は、受信画データや読取部４０で読み取った画データを一時的に記憶する。コーデック９０は、読取部４０で読み取った白黒２値の画データを送信のためにＭＨ，ＭＲ，ＭＭＲ，ＪＢＩＧ方式等により符号化（エンコード）する。また、コーデック９０は、受信画データを復号（デコード）する。
【００２１】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００２２】
ＬＡＮ−Ｉ／Ｆ１２０は、複合機１をＬＡＮに接続し、ＬＡＮに接続されたパソコンとの間でデータを受け渡しするためのインタフェースである。例えば、ＮＩＣ(Network Interface Card)等で構成され、ツイストペアケーブル等を介して、ＬＡＮに接続される。
【００２３】
次に、このように構成された複合機１において、読取部４０で読み取った原稿の画データ、すなわちＫ、Ｃ、Ｍ、Ｙの画データを記録部５０で記録紙に記録するときの動作について、図１に示すブロック図及び図２に示すタイミングチャートを用いて説明する。
【００２４】
図１及び図２に示すように、ＭＰＵ１０からの制御信号に基づいて、プリンタ制御部５１０からライン周期信号ＬＴがデータ転送制御部５２０及びプリンタ５４０に送出されると、データ転送制御部５２０は、画データ（ＤＡＴＡ）をＹ−ＬＥＤヘッド５４１〜Ｋ−ＬＥＤヘッド５４４に送出する。そして、すべての画データの送出が終了すると、データ転送制御部５２０は、ロード（ＬＯＡＤ）信号をＹ−ＰＷＭｔ５３１〜Ｋ−ＰＷＭｔ５３４に送出する。
【００２５】
その結果、Ｙ−ＰＷＭｔ５３１〜Ｋ−ＰＷＭｔ５３４は、ロード（ＬＯＡＤ）信号の立下がりに同期して、トリガ（ＴＲＧ）信号をＹ−ＰＷＭｓ５３５〜Ｋ−ＰＷＭｓ５３８に送出する。Ｙ−ＰＷＭｓ５３５〜Ｋ−ＰＷＭｓ５３８は、トリガ（ＴＲＧ）信号の立上がりに同期して、ストローブ（ＳＴＢ）信号をＹ−ＬＥＤヘッド５４１〜Ｋ−ＬＥＤヘッド５４４に送出する。その結果、Ｙ−ＬＥＤヘッド５４１〜Ｋ−ＬＥＤヘッド５４４は、Ｙ−ＰＷＭｓ５３５〜Ｋ−ＰＷＭｓ５３８からのストローブ（ＳＴＢ）信号とデータ転送制御部５２０からの画データとに基づいて、各色の感光体ドラム５５１〜５５４に光を照射して静電潜像を形成する。そして、各色の現像器５６１〜５６４で形成された静電潜像にトナーが付着され、各色の転写器５７１〜５７４で付着されたトナーが記録紙上に転写された後、定着器５８０で記録紙上のトナーが定着される。その結果、読取部４０で読み取った原稿の画データが記録部５０で記録紙上に記録される。
【００２６】
次に、ＲＡＭ３０に記憶している位置ずれ判定パターン３１について、図３に示す説明図を用いて説明する。
図３に示すように、ＲＡＭ３０は、所定間隔（例えば１００ライン）毎に所定長を有するブラック（Ｋ）の１ラインを記憶している。また、そのブラック（Ｋ）の副走査方向における中央の１ラインを基準ラインとして、所定間隔毎のブラック（Ｋ）の１ラインに対する「ずれ」を副走査方向及び反副走査方向に１ラインずつ大きくしたシアン（Ｃ）、マゼンタ（Ｍ）、イエロー（Ｙ）の各１ラインをそれぞれ記憶している。
【００２７】
すなわち、ブラック（Ｋ）の基準ラインから反副走査方向のシアン（Ｃ）、マゼンタ（Ｍ）、イエロー（Ｙ）の各１ラインは、所定間隔毎のブラック（Ｋ）の１ラインに対する「ずれ」が、それぞれ０，＋１，＋２，＋３，＋４ラインとなるように記憶している。つまり、ブラック（Ｋ）の基準ラインから反副走査方向のシアン（Ｃ）、マゼンタ（Ｍ）、イエロー（Ｙ）の各１ラインは、ブラック（Ｋ）の所定間隔（１００ライン）に１ラインを加算した値を、所定間隔（１０１ライン）としている。そして、その所定間隔（１０１ライン）毎のシアン（Ｃ）、マゼンタ（Ｍ）、イエロー（Ｙ）の各１ラインを記憶している。
【００２８】
一方、ブラック（Ｋ）の基準ラインから副走査方向のシアン（Ｃ）、マゼンタ（Ｍ）、イエロー（Ｙ）の各１ラインは、所定間隔毎のブラック（Ｋ）の１ラインに対する「ずれ」が、それぞれ−１，−２，−３，−４ラインとなるように記憶している。つまり、ブラック（Ｋ）の基準ラインから副走査方向のシアン（Ｃ）、マゼンタ（Ｍ）、イエロー（Ｙ）の各１ラインは、ブラック（Ｋ）の所定間隔（１００ライン）から１ラインを減算した値を、所定間隔（９９ライン）としている。そして、その所定間隔（９９ライン）毎のシアン（Ｃ）、マゼンタ（Ｍ）、イエロー（Ｙ）の各１ラインを記憶している。
【００２９】
次に、ＲＡＭ３０に記憶している位置ずれ判定パターン３１を記録部５０で記録紙に記録させて、１ドット未満の位置ずれを調整する方法について、図４に示す説明図及び図５に示すタイミングチャートを用いて説明する。
【００３０】
さて、操作部６０から所定の操作が行われると、位置ずれ判定パターン３１が読み出される。そして、読み出された位置ずれ判定パターン３１が記録部５０で記録紙に記録される。その結果、各色に位置ずれがない場合には、ブラック（Ｋ）、シアン（Ｃ）、マゼンタ（Ｍ）、イエロー（Ｙ）の各ラインが、図４に示す位置ずれ判定パターン３１のように正規の位置に記録される。つまり、シアン（Ｃ）、マゼンタ（Ｍ）、イエロー（Ｙ）の各ラインが、所定間隔毎のブラック（Ｋ）の１ラインに対して、それぞれ０，±１，±２，±３，±４ラインずつ、位置ずれして記録紙に記録される。なお、図４では、１ドット間の距離を実際より誇張して描いている。
【００３１】
しかしながら、いずれかの色に位置ずれがある場合には、ブラック（Ｋ）、シアン（Ｃ）、マゼンタ（Ｍ）、イエロー（Ｙ）の各ラインが、図４に示す位置ずれ判定パターン３１のように正規の位置に記録されない。つまり、シアン（Ｃ）、マゼンタ（Ｍ）、イエロー（Ｙ）の各ラインが、所定間隔毎のブラック（Ｋ）の１ラインに対して、それぞれ０，±１，±２，±３，±４ラインずつ、位置ずれした状態で記録紙に記録されない。
【００３２】
仮に、例えば所定間隔（１００ライン）毎のブラック（Ｋ）の１ラインに対して、所定間隔（１０１ライン、９９ライン）毎のイエロー（Ｙ）の１ラインが、半ドットだけ、反副走査方向に位置ずれして記録紙に記録された場合には、以下のようにイエロー（Ｙ）の位置ずれを調整する。
【００３３】
ここで、記録部５０の解像度が「６００〔ｄｐｉ〕×６００〔ｄｐｉ〕」の場合には、１ドット間の距離ＤＬは、約０．０４２３〔ｍｍ〕（＝２５．４〔ｍｍ〕／６００〔ｄｐｉ〕）となる。また、記録紙の搬送速度が「１００〔ｍｍ／ｓ〕」の場合には、１ラインを記録紙に記録するライン周期ＬＴは、約４２３〔μｓ／ライン〕（＝０．０４２３〔ｍｍ〕／１００〔ｍｍ／ｓ〕）となる。
【００３４】
そこで、図５に示すタイミングチャートのように、Ｙ−ＰＷＭｔ５３１からＹ−ＰＷＭｓ５３５に送出するイエロー（Ｙ）のトリガ（Ｙ−ＴＲＧ）信号のみをライン周期ＬＴの半分、すなわち２１１．５〔μｓ／ライン〕（＝４２３／２〔μｓ／ライン〕）だけ遅らせる。つまり、トリガ（Ｙ−ＴＲＧ）信号の立下がり時間（パルス幅）をライン周期ＬＴの半分にする。そして、そのトリガ（Ｙ−ＴＲＧ）信号が立上がりに同期して、Ｙ−ＰＷＭｓ５３５からストローブ（Ｙ−ＳＴＢ）信号をＹ−ＬＥＤヘッド５４１に送出する。その結果、感光体ドラム５５１に静電潜像が形成されるタイミングが半ドットだけ遅れる。従って、イエロー（Ｙ）の１ラインが副走査方向に半ドットだけ位置ずれし、所定間隔（１００ライン）毎のブラック（Ｋ）の１ラインに対して、所定間隔（１０１ライン、９９ライン）毎のイエロー（Ｙ）の１ラインが、正規の位置に記録されることとなる。よって、１ドット未満の位置ずれを調整することができる。
【００３５】
なお、所定間隔毎のブラック（Ｋ）の１ラインに対して、シアン（Ｃ）、マゼンタ（Ｍ）が位置ずれしている場合も同様にして、各色の位置ずれを調整することができる。また、半ドットの位置ずれに限らず、１／３ドットや１／４ドット等のように１ドット未満の位置ずれに対しても、同様に調整することができることは言うまでもない。
【００３６】
以上、詳述したように本実施形態によれば、次のような作用、効果を得ることができる。
（１）ＲＡＭ３０は、位置ずれを調整するための位置ずれ判定パターン３１を記憶している。そして、操作部６０から所定の操作が行われると、位置ずれ判定パターン３１が読み出され、その読み出された位置ずれ判定パターン３１が記録部５０で記録紙に記録される。記録紙に記録された位置ずれ判定パターン３１が、正規の位置に記録されているか否かが判断される。つまり、記録紙に記録された位置ずれ判定パターン３１において、シアン（Ｃ）、マゼンタ（Ｍ）、イエロー（Ｙ）の各ラインが、所定間隔（１００ライン）毎のブラック（Ｋ）の１ラインに対して、それぞれ０，±１，±２，±３，±４ラインずつ、位置ずれして記録されているか否かが判断される。その判断結果に基づいて、Ｙ−ＰＷＭｔ５３１〜Ｋ−ＰＷＭｔ５３４で位置ずれしている色のトリガ（ＴＲＧ）信号が立下がり時間（パルス幅）を変更している。そして、トリガ（ＴＲＧ）信号の立上がりに同期して、Ｙ−ＰＷＭｓ５３５〜Ｋ−ＰＷＭｓ５３８からストローブ（ＳＴＢ）信号がＹ−ＬＥＤヘッド５４１〜Ｋ−ＬＥＤヘッド５４４に送出される。その結果、位置ずれしている色の感光体ドラム５６１〜５６４に静電潜像が形成されるタイミングも変更される。従って、１ドット未満の位置ずれを調整することができる。
【００３７】
（２）位置ずれ判定パターン３１は、所定間隔（１００ライン）毎のブラック（Ｋ）の１ラインに対して、シアン（Ｃ）、マゼンタ（Ｍ）、イエロー（Ｙ）の各ラインがそれぞれ０，±１，±２，±３，±４ラインずつ、位置ずれしている。このため、いずれかの色に位置ずれがある場合には、その位置ずれしている色が正規の位置に記録されないため、基準となるブラック（Ｋ）の１ラインに対する「ずれ」に基づいて、位置ずれが副走査方向又は反副走査方向にどの程度発生しているかを容易に判断することができる。従って、この位置ずれの判断結果に基づいて、１ドット未満の位置ずれを調整することができる。
【００３８】
なお、前記実施形態は、次のように変更して具体化することも可能である。
・図３に示す位置ずれ判定パターン３１をＲＡＭ３０に記憶させる構成に代えて、図４に示す正常時の位置ずれ判定パターンの原稿を予め準備しておいて、その原稿を読取部４０で読み取らせて記録部５０で記録紙に記録させる構成にしても良い。
【００３９】
・図６に示す位置ずれ判定パターン３１であっても良い。すなわち、図６に示すように、所定間隔（１００ライン）毎に所定長を有するブラック（Ｋ）の１ラインを記憶させる。また、そのブラック（Ｋ）の副走査方向における中央の１ラインを基準ラインとして、所定間隔毎のブラック（Ｋ）の１ラインに対する「ずれ」を副走査方向及び反副走査方向に１ラインずつ大きくしたシアン（Ｃ）、マゼンタ（Ｍ）、イエロー（Ｙ）の各１ラインをそれぞれ記憶している。すなわち、ブラック（Ｋ）の基準ラインから副走査方向及び反副走査方向のシアン（Ｃ）、マゼンタ（Ｍ）、イエロー（Ｙ）の各１ラインは、所定間隔毎のブラック（Ｋ）の１ラインに対する「ずれ」が、それぞれ０，＋１，＋２，＋３，＋４ラインとなるように記憶させる。つまり、ブラック（Ｋ）の基準ラインから副走査方向及び反副走査方向のシアン（Ｃ）、マゼンタ（Ｍ）、イエロー（Ｙ）の各１ラインは、ブラック（Ｋ）の所定間隔（１００ライン）に１ラインを加算した値を、所定間隔（１０１ライン）とする。そして、その所定間隔（１０１ライン）毎のシアン（Ｃ）、マゼンタ（Ｍ）、イエロー（Ｙ）の各１ラインを記憶させる。このように構成すれば、各色に位置ずれがない場合には、所定間隔（１０１ライン）毎のシアン（Ｃ）、マゼンタ（Ｍ）、イエロー（Ｙ）の１ラインは、所定間隔（１００ライン）毎のブラック（Ｋ）の１ラインよりも、ブラック（Ｋ）の基準ラインに対して、離間した位置に記録されることになる。その結果、副走査方向又は反副走査方向のいずれの方向に位置ずれをしているかを容易に判断することができる。
【００４０】
・前記実施形態を中間体に一旦画データを１回で転写した後、記録紙に転写する中間転写方式に適用しても良い。
・電子写真方式のカラープリンタに代えて、サーマル方式又はインクジェット方式のカラープリンタに前記実施形態を適用しても良い。
【００４１】
・カラープリンタに限らず、モノクロプリンタに前記実施形態を適用しても良い。このように構成すれば、画データを記録紙に記録するタイミングを１ドット未満で調整することができる。
【００４２】
さらに、上記実施形態より把握される技術的思想について、以下にそれらの効果と共に記載する。
〔１〕制御手段は、データ転送の終了を示すロード信号に基づきトリガ信号を送出する。このように構成すれば、１ドット未満の位置ずれを調整することができる。
〔２〕プリンタは、タンデム方式のカラープリンタである。このように構成すれば、１ドット未満の位置ずれを調整することが可能なタンデム方式のカラープリンタを提供することができる。
【図面の簡単な説明】
【００４３】
【図１】複合機の構成を示すブロック図。
【図２】読み取った原稿の画データを記録紙に記録するときの動作を示すタイミングチャート。
【図３】位置ずれ判定パターンを示す説明図。
【図４】位置ずれ判定パターンを記録紙に記録した結果を示す説明図。
【図５】イエロー（Ｙ）の位置ずれを調整したときの動作を示すタイミングチャート。
【図６】別の実施形態における位置ずれ判定パターンを示す説明図。
【符号の説明】
【００４４】
１…プリンタ（カラープリンタ）としての複合機、１０…制御手段を構成するＭＰＵ、２０…制御手段を構成するＲＯＭ、３０…制御手段を構成するＲＡＭ、５０…記録部、５１０…制御手段を構成するプリンタ制御部、５３１〜５３４…調整手段としてのＹ，Ｍ，Ｃ，Ｋ−ＰＷＭｔ、５４１〜５４４…ヘッドとしてのＹ，Ｍ，Ｃ，Ｋ−ＬＥＤヘッド、ＬＯＡＤ…ロード信号、Ｙ，Ｍ，Ｃ，Ｋ−ＳＴＢ…ストローブ信号、Ｙ，Ｍ，Ｃ，Ｋ−ＴＲＧ…トリガ信号。
【図１】
2007106126.tif 000003
【図２】
2007106126.tif 000004
【図３】
2007106126.tif 000005
【図４】
2007106126.tif 000006
【図５】
2007106126.tif 000007
【図６】
2007106126.tif 000008